(57)【特許請求の範囲】
【請求項１】
下部構造物の上面に設けたベ−スプレ−トと、上部構造物の下面に設けたソ−ルプレ−トにそれぞれ固定された下沓と上沓とゴム積層体から成るせん断変形された支承体において、下沓をベ−スプレ−トに固定した固定金具を取り外し、橋桁の収縮方向に対し直角で且つ下沓の前方側に、ベ−スプレ−トとソ−ルプレ−トで反力をとる反力架台を所定の間隔で設置し、下沓に所定の間隔で鋼棒の一端部を固定して他端部を反力架台に取り付けたジャッキ−で支持し、該ジャッキ−で鋼棒を引っ張ることによりベ−スプレ−ト上の下沓を桁の収縮方向へ移動し、所定の位置に到達したとき下沓をベ−スプレ−トに固定金具で固定してジャッキ−、鋼棒を撤去するゴム支承体のせん断変形調整方法。
【請求項２】
下部構造物の上面に設けたベ−スプレ−トと、上部構造物の下面に設けたソ−ルプレ−トにそれぞれ固定された下沓と上沓とゴム積層体から成るせん断変形されたゴム支承体において、橋桁の収縮方向で且つ下沓の両側面のベ−スプレ−ト上にガイドプレ−トを取り付け、橋桁の収縮方向に対し直角方向で且つ下沓の後方側にストッパ−プレ−トが、前方側にスペ−サプレ−トとストッパ−プレ−トがベ−スプレ−ト上に取り付けられた下沓前方側のスペ−サプレ−トとストッパ−プレ−トを固定する固定金具および下沓を固定する固定金具を取り外し、下沓の前方側にベ−スプレ−トとソ−ルプレ−トで反力をとる反力架台を所定の間隔で設置し、下沓に所定の間隔で鋼棒の一端部を固定して他端部を反力架台に取り付けたジャッキ−で支持し、ひずみ調整量にしたがってベ−スプレ−ト上に位置出しプレ−トを取り付け、ジャッキ−で鋼棒を位置出しプレ−ト側へ引っ張ることによりベ−スプレ−ト上の下沓を桁の収縮方向へ移動し、所定の位置に到達したとき下沓および下沓の前端部にストッパ−プレ−トを、後端部とストッパ−プレ−トとの間にスペ−サプレ−トをベ−スプレ−トに固定し、ジャッキ−、鋼棒を撤去するゴム支承体のせん断変形調整方法。
【請求項３】
下部構造物の上面に設けたベ−スプレ−トと、上部構造物の下面に設けたソ−ルプレ−トに固定された下沓と上沓とゴム積層体から成るせん断変形されたゴム支承体において、橋桁の収縮方向に対し直角で且つ下沓の前方側および後方側のベ−スプレ−ト上にキ−プレ−トを介して取り付けるストッパ−プレ−ト、ストッパ−プレ−トと下沓間のベ−スプレ−ト上に設けるスペ−サプレ−ト、橋桁の収縮方向で下沓両側面のベ−スプレ−ト上に取り付けるガイドプレ−ト、下沓前方側に所定の間隔で設けた雌ねじ孔、該雌ねじ孔に一端部をねじ込む鋼棒、垂直材の上側面に水平材を固定し両部材間をプレ−トで補強したＬ型部材から成りベ−スプレ−トとソ−ルプレ−トで反力をとる反力架台、反力架台に取り付けて鋼棒を引っ張るセンタ−ホ−ルジャッキ−、所定の間隔で設置された反力架台を連結固定する水平材から構成されるゴム支承体のせん断変形調整装置。
【請求項４】
垂直材はＨ形鋼材からなり、水平材は４枚のプレ−トを接合して箱型に形成し一方の開口部をプレ−トにより塞ぎ、もう一方の開口部をＨ形鋼材のフランジに固着してＬ型状に形成し、垂直材と水平材間にプレ−トを設けた反力架台であることを特徴とする請求項３に記載のゴム支承体のせん断変形調整装置。
【請求項５】
所定の間隔で設置された反力架台の相互を連結する２本の溝形鋼材を、垂直材の下方に鋼棒に干渉しないようにウエブ部を対向させて水平方向に取り付け、山形鋼材を垂直材の上方に設けたことを特徴とする請求項３または請求項４に記載のゴム支承体のせん断変形調整装置。
【発明の詳細な説明】
【０００１】
【発明が属する技術分野】
本願発明は、橋脚等の下部構造と橋桁等の上部構造物との間に介装されるゴム支承体に係るもので、ゴム支承体に生じるせん断変形歪みを修正するためのゴム支承体のせん断変形調整方法及びその装置に関するものである。
【０００２】
【従来の技術】
橋梁を構築する場合、橋脚、橋台等の橋梁下部構造物と橋桁との間にゴム支承体が設けられており、橋桁等の橋梁上部構造物の変形や下部構造物の変形に追従して上部構造物にできる限り影響を与えないようにしている。
【０００３】
支承体としては、ゴム支承体、ロ−ラ支承体等が知られており、ゴム支承体は、積層ゴム等の弾性体と、これを挟んで取り付けた上部プレ−トと下部プレ−トとから成り、上部プレ−トは上部構造物に、下部プレ−トは下部構造物にそれぞれ取り付けられ、上部構造物と下部構造物との間に積層ゴム等の弾性体を介在させることにより衝撃的な力を緩和している。
【０００４】
しかし、積層ゴム等の弾性体を用いた支承体は、この上に設置される橋桁の伸縮等によりせん断変形を生じる場合があり、特に橋桁がコンクリ−トから成るものであると、主桁連結後ＰＣケ−ブル緊張やクリ−プ変形、乾燥収縮などの影響によって主桁が収縮し、上沓（上部プレ−ト）が水平移動し、それに伴い支承にせん断変形が生じて積層ゴム等の弾性体による機能が損なわれる恐れがある。
【０００５】
このような問題に対処するために支承体の変形量が許容変形量を超えないように調整するもので、それを調整する方法として、支承体の構造を設計する際にせん断変形量を算定し、予め設計変形量だけ支承体を逆に変形させて取り付けておく予備せん断型と、橋桁が移動した後に、その移動量によって生じた支承体のせん断変形を取り除いて現場において直接修正する後ひずみ調整型により行われている。
【０００６】
現場において修正する後ひずみ調整型は、橋脚等の橋梁下部構造物に設置したソ−ルプレ−ト上にゴム支承体を仮固定し、この上部に設けた橋桁がコンクリ−トの乾燥収縮やクリ−プ等によって移動することによってゴム支承体にせん断変形が生じた場合、仮固定を解除して水平ジャッキ等を用いてゴム支承体の下沓（下方プレ−ト）をベ−スプレ−トに沿ってスライドさせることによってせん断変形を除去し、溶接又は固定ボルトによりベ−スプレ−トとゴム支承体とを本固定するものである。
【０００７】
せん断変形を調整する従来技術１として、
上部に滑り支承板６１を固定した金属製ベ−スプレ−ト６２が下部構造物６３の上部に固定され、コンクリ−ト製上部構造物６４を支持しているゴム支承６５における下部金属板６６の下面に固定された可動滑り板６７は前記支承板６１に載置され、前記金属製ベ−スプレ−ト６２における上部構造物収縮方向側と反対側の位置に反力支承部６８が設けられ、その反力支承部６８と下部金属板６６における上部構造物収縮方向と反対側の端面との間に下部金属板押圧移動用のジャッキ−６９を介在してゴム支承６５に生じたせん断変形の修正をするものである（図６参照）。
【０００８】
せん断変形を調整する従来技術２として、
ベ−スプレ−ト７１の上表面を滑り面としたベ−スプレ−ト７１を橋脚７２の上面に固定し、下部金属板７３を備えたゴム支承７４の下面をベ−スプレ−ト７１の滑り面上に載置し、ゴム支承７４の上部金属板７５の上面を橋桁７６の下面に固定した橋梁において、ゴム支承７４の下部金属板７３に移動用治具７７を装着し、移動用治具７７の長さ方向の側面に設けたネジ穴タップ等を介して反力伝達棒７８を伸ばし、橋脚７２の端部および橋脚面に取り付けた反力支持部の固定部を介して伸縮装置７９を取り付けて、反力伝達棒７８と伸縮装置７９とを連結し、伸縮装置７９を伸縮させることによりゴム支承７４の下部金属板７３を滑らせてゴム支承７４に生じたせん断変形歪みを修正するものである（図７参照）。
【０００９】
せん断変形を調整する従来技術３として、
橋脚、橋台等の橋梁下部構造物の上面に設置されゴム支承８１が載置されるアンカ−プレ−ト８２と、免震支承８１の下方プレ−ト８３との間にせん断変形方向に所定の間隔を保持しつつ当該下方プレ−ト８３を囲んでベ−スプレ−ト上に固定される外枠プレ−ト８４と、下方プレ−ト８３に設置固定した内側架台８５、外枠プレ−ト８４に設置固定した外側架台８６、及びこれらの間に設けたせん断変形方向に伸縮する伸縮装置から成るジャッキ−架台８７とによって構成されるゴム支承８１のせん断変形修正装置を設置し、橋梁下部構造物と橋桁とが相対移動した後、伸縮装置を駆動してゴム支承に生じたせん断変形を修正するものである（図８参照）。
【００１０】
【発明が解決しようとする課題】
しかし従来技術によるゴム支承のせん断変形修正は、ベ−スプレ−トに反力支承部となる突起部を設け、該突起部に反力をとってジャッキ−によりゴム支承に生じたせん断変形歪みを修正したり、下部金属板に直接移動用治具を装着し、移動用治具に設けた反力伝達棒により移動用治具を引っ張ることによりゴム支承に生じたせん断変形歪みを修正したり、ベ−スプレ−トに外枠プレ−トを固定し、下方プレ−トに内側架台を外枠プレ−トに外側架台をそれぞれ設置固定して、両架台間に設けたジャッキ−の伸縮によりゴム支承に生じたせん断変形歪みの修正を行っているが、これらの方法では反力をとるための突起部を設ける必要があり、移動用治具はゴム支承の両側にしか取り付けられないので反力が大きい場合反力伝達棒の本数が充分でなく、橋脚に斜角がある場合には反力支持部の固定部の取り付けが困難であり、更に外枠プレ−ト・外側架台・内側架台等多くの部品を必要とした。
【００１１】
【課題を解決するための手段】
本願発明は上記課題を解決するもので、支承に予め細工をすることもなく、簡単な治具により大きな反力をとることができ、又ベ−スプレ−トに反力をとるための突起を設けることもなく、反力伝達棒の本数も充分配置することができ、部品を新たに取り付けることなく、ソ−ルプレ−トとベ−スプレ−トに反力をとれる治具を用いて下沓（下プレ−ト）を引っ張る方法を採用することにより、コンパクトな構造で大きなジャッキ−反力をとることによりゴム支承体に生じたせん断変形を修正するものである。
【００１２】
その具体的手段の１は、
下部構造物の上面に設けたベ−スプレ−トと、上部構造物の下面に設けたソ−ルプレ−トにそれぞれ固定された下沓と上沓とゴム積層体から成るせん断変形された免震支承体において、下沓をベ−スプレ−トに固定した固定金具を取り外し、桁の収縮方向に対し直角で且つ下沓の前方側に、ベ−スプレ−トとソ−ルプレ−トで反力をとる反力架台を所定の間隔で設置し、下沓に所定の間隔で設けた雌ねじ孔にＰＣ鋼棒の一端部を固定して他端部を反力架台に取り付けたジャッキ−で支持し、該ジャッキ−でＰＣ鋼棒を引っ張ることによりベ−スプレ−ト上の下沓を桁の収縮方向へ移動し、所定の位置に到達したとき下沓をベ−スプレ−トに固定金具で固定してジャッキ−、ＰＣ鋼棒が撤去される。
【００１３】
その具体的手段の２は、
下部構造物の上面に設けたベ−スプレ−トと、上部構造物の下面に設けたソ−ルプレ−トにそれぞれ固定された下沓と上沓とゴム積層体から成るせん断変形されたゴム支承体において、橋桁の収縮方向で且つ下沓の両側面のベ−スプレ−ト上にガイドプレ−トを取り付け、橋桁の収縮方向に対し直角方向で且つ下沓の後方側にストッパ−プレ−トが、前方側にスペ−サプレ−トとストッパ−プレ−トがベ−スプレ−ト上に取り付けられており、下沓および下沓前端部に設けたスペ−サプレ−トとストッパ−プレ−トを固定する固定金具を取り外し、橋桁の収縮方向に対し直角で且つ下沓の前方側に、ベ−スプレ−トとソ−ルプレ−トで反力をとる反力架台を所定の間隔で設置し、下沓に所定の間隔で設けた雌ねじ孔にＰＣ鋼棒の一端部を固定して他端部を反力架台に取り付けたジャッキ−で支持し、ひずみ調整量にしたがってベ−スプレ−ト上に位置出しプレ−トを取り付け、ジャッキ−でＰＣ鋼棒を位置出しプレ−ト側へ引っ張ることによりベ−スプレ−ト上の下沓を桁の収縮方向へ移動し、所定の位置に到達したとき下沓および下沓の前端部にストッパ−プレ−トを、後端部とストッパ−プレ−トとの間にスペ−サプレ−トをベ−スプレ−トに固定してジャッキ−、ＰＣ鋼棒が撤去される。
【００１４】
その具体的手段の３は、
下部構造物の上面に設けたベ−スプレ−トと、上部構造物の下面に設けたソ−ルプレ−トに固定された下沓と上沓とゴム積層体から成るせん断変形されたゴム支承体において、橋桁の収縮方向に対し直角で且つ下沓の前方側および後方側のベ−スプレ−ト上にキ−プレ−トを介して取り付けるストッパ−プレ−ト、ストッパ−プレ−トと下沓間のベ−スプレ−ト上に設けるスペ−サプレ−ト、橋桁の収縮方向で下沓両側面のベ−スプレ−ト上に取り付けるガイドプレ−ト、下沓前方側に所定の間隔で設けた雌ねじ孔、該雌ねじ孔に一端部をねじ込むＰＣ鋼棒、垂直材の上側面に水平材を固定し両部材間をプレ−トで補強したＬ型部材から成りベ−スプレ−トとソ−ルプレ−トで反力をとる反力架台、反力架台に取り付けてＰＣ鋼棒を引っ張るジャッキ−、所定の間隔で設置された反力架台を連結固定する水平材からゴム支承体のせん断変形調整装置が構成されている。
【００１５】
【発明の実施の形態】
本願発明を図面に示した実施例に基いて説明する。
【００１６】
図１乃至図３は、橋台上に設置されたゴム支承の平面図と側面図を示すもので、下部にアンカ−ボルトを固定したベ−スプレ−ト１がコンクリ−ト製橋脚、橋台等の橋梁下部構造物２の上部に、上部にアンカ−ボルトを固定したソ−ルプレ−ト３がコンクリ−ト製橋桁等の橋梁上部構造物４の下部に固定されている。
【００１７】
また、下部構造物２と上部構造物４間に設置されるゴム支承体は、下沓（下部プレ−ト）５と上沓（上部プレ−ト）６とその間に取り付ける積層ゴム体７とからなり、下沓５はベ−スプレ−ト１に、上沓６はソ−ルプレ−ト３に六角穴付きボルト等によりそれぞれ固定されている。
【００１８】
また、下部構造物２に固定されたベ−スプレ−ト１の上面には、橋桁の収縮方向（矢印方向）に対し直角方向で下沓５の前面側にスペ−サ−プレ−ト８とストッパ−プレ−ト９が六角ボルト等により取り付けられ、ストッパ−プレ−ト９はベ−ス−プレ−ト１に円柱形をしたキ−プレ−ト１０により固定され、更に下沓５が橋軸方向に対して直角方向に動かないようにするためのガイドプレ−ト１１が同じく六角ボルト等により取り付けられている。橋梁における下部構造物２と上部構造物４はゴム支承を介して上記した構造から構成されている。
【００１９】
図１（ａ）は、下部構造物２上にゴム支承を介して上部構造物４が設置された後の状態を示すもので、橋桁の収縮方向（矢印方向）にソ−ルプレ−ト３が移動することにより積層ゴム体７は斜めに変形するのでクリ−プ・乾燥収縮の観察を行い、クリ−プ・乾燥収縮の進行を計測してひずみ調整の時期と調整量が決定される。
【００２０】
図１（ｂ）は、橋桁の収縮方向で下沓５の前面側のベ−スプレ−ト１上に固定されたスペ−サ−プレ−ト８、ストッパ−プレ−ト９、キ−プレ−ト１０を撤去し、下沓５をベ−スプレ−ト１上に固定している六角ボルトの取り外しを示すもので、免震支承のひずみ調整の時期と調整量が決定されると、ひずみ調整時期にベ−スプレ−ト１へ固定している六角ボルトを取り外してストッパ−プレ−ト９とキ−プレ−ト１０およびスペ−サ−プレ−ト８を撤去し、ひずみを調整する際に下沓を移動するときの滑り面となるベ−スプレ−ト１面を清掃して潤滑剤が塗布される。
【００２１】
図２（ｃ）は、反力架台、ＰＣ鋼棒の取付、センタ−ホ−ルジャッキの取り付けを示すもので、ストッパ−プレ−ト９、スペ−サ−プレ−ト８、キ−プレ−ト１０等が取り外された後反力架台が設置される。
【００２２】
この反力架台１２について図４により説明する。
下部構造物２のベ−スプレ−ト１と上部構造物４のソ−ルプレ−ト３間に設けたゴム支承体Ａに対して反力架台１２、ＰＣ鋼棒１３、ジャッキ−１４等を取り付けた縦断面図（ａ）および正面図（ｂ）が示されている。
【００２３】
反力架台１２は図面に示されるように形鋼材から形成されており、所定の間隔で垂直方向に設けたＨ形鋼材１５の下端部を、８０ｍｍ厚のベ−スプレ−ト１に４５ｍｍ程度掛かるようにして配置し、垂直材のＨ形鋼材１５相互を連結する２本の溝形鋼材１６を、Ｈ形鋼材１５の下端部に、下沓５の側端面に固定したＰＣ鋼棒１３を干渉しないようにしてウエブ部を対向させて水平方向に取り付け、更に山形鋼材１７をＨ形鋼材１５の上方部にボルト等により水平方向へ取り付けている。
【００２４】
又Ｈ形鋼材１５の上端部には、上部構造物４の下部に固定されたソ−ルプレ−ト３の側端面へ当接される水平材１８が取り付けられ、該水平材１８は４枚のプレ−トを溶接等で接合して箱型に形成され、一方の開口部には１枚のプレ−トを溶接等で接合することにより開口部は塞がれており、箱型状の水平材１８とＨ形鋼材１５の垂直材とによりＬ型状に形成し、両部材はプレ−ト１９により補強されている。
【００２５】
この箱型状水平材１８の開口側を、垂直材であるＨ形鋼材１５のフランジ面に溶接等で固着し、開口部を塞いだプレ−ト側を上部構造物４の下部に固定されたソ−ルプレ−ト３の側面部に当接している。
【００２６】
また、垂直材であるＨ形鋼材１５の下端部とＨ形鋼材１５に対し水平方向に取り付けた溝形鋼材１６の下端部は、下部構造物２に設けて両鋼材の高さを調整する部材２０と、更に高さを微調整するための厚さ数ミリ程度の鉄板からなるライナ−プレ−ト２１、２２により支持されている。
【００２７】
上記構成により反力架台１２が形成されており、該反力架台１２に対してジャッキ−１４、或いはＰＣ鋼棒１３等が次のようにして取り付けられる。
【００２８】
ゴム支承体Ａを構成する下沓５の反力架台１２と対向する側にＰＣ鋼棒１３を螺合結合する雌ねじ孔２３が所定の間隔（図５参照）で設けられており、各雌ねじ孔２３にＰＣ鋼棒１３の一端部が９０ｍｍ以上ねじ込まれるようにして下沓５に固定され、他端部はＨ形鋼材からなる垂直材の下端部に取り付けた溝形鋼材１６間を貫通して設けられている。
【００２９】
次いで、該溝形鋼材１６より延びたＰＣ鋼棒１３にセンタ−ホ−ルジャッキ−１４を溝形鋼材１３の側面に当接して取り付けることにより、ゴム支承体に対し反力架台・ＰＣ鋼棒・センタ−ホ−ルジャッキ−等がセットされる。
【００３０】
図２（ｄ）は、後ひずみ調整作業を示すもので、前記したように、ひずみ調整の時期と調整量の決定にしたがってベ−スプレ−ト１上に位置出しプレ−ト２３（図５参照）がセットされる。後ひずみ調整作業を行う際に使用される位置出しプレ−ト等について図５により説明する。
【００３１】
反力架台１２を設置した側のベ−スプレ−ト１上から既にストッパ−プレ−ト９、キ−プレ−ト１０、スペ−サプレ−ト８が取り外されているので、種々用意された位置出しプレ−トの中からひずみ調整量に応じた位置出しプレ−ト２４を選び、ストッパ−プレ−ト９を固定するボルト孔２５を利用して位置出しプレ−ト２４が固定される。
【００３２】
次いでセンタ−ホ−ルジャッキ−１４により下沓５に取り付けたＰＣ鋼棒１３を桁の橋桁の収縮方向（図２矢印方向）へ引っ張ることによりベ−スプレ−ト１上の下沓５を移動させ、下沓５が所定の位置へ到達したときベ−スプレ−ト１上に設けたボルト孔に下沓５を六角ボルト等により固定する。
【００３３】
図３（ｅ）（ｆ）は、後ひずみ調整が終了した後におけるセンタ−ホ−ルジャッキ−１４、ＰＣ鋼棒１３或いは反力架台１２の撤去を示すもので、ベ−スプレ−ト１上の下沓５を所定の位置へ移動してベ−スプレ−ト１上に固定されると、センタ−ホ−ルジャッキ−１４、ＰＣ鋼棒１３或いは反力架台１２が撤去される。
【００３４】
次いで、ストッパ−プレ−ト９、キ−プレ−ト１０、スペ−サプレ−ト８等がベ−スプレ−ト１上に取り付けられるが、後ひずみ調整が最終段階まで終了した下沓５は、下沓５とストッパ−プレ−ト９間に隙間が生じないスペ−サプレ−ト８を製作して設置されるが、その前にＰＣ鋼棒取付ネジ穴２３およびベ−スプレ−ト表面に露出するネジ穴にグリスが塗布される。後ひずみ調整の途中段階においてはスペ−サプレ−ト８の代わりに簡易のスペ−サプレ−トが挿入される。
【００３５】
所定の位置へ移動し固定された下沓５と、ベ−スプレ−ト１上の桁の収縮方向後方側に固定されたストッパ−プレ−ト９との間にも隙間が生じないスペ−サプレ−ト８が設置されて後ひずみ調整作業が終了する。
【００３６】
【発明の効果】
本願発明は、ベ−スプレ−トとソ−ルプレ−トに反力をとるため、下沓に雌ねじ孔を切っておくだけで支承に予め細工をしておく必要がなく、また、簡単な治具で大きな反力をとることができる。
【００３７】
また、従来のようにベ−スプレ−トに突起を設ける必要がなく、反力伝達棒の本数も下沓に雌ねじ孔を切るタイプであるため充分配置することができる。
【００３８】
【図面の簡単な説明】
【図１】本願発明の、下部構造物と上部構造物間に設置されたゴム支承体を示す平面図と側面図である。
【図２】本願発明の、下部構造物と上部構造物間に設置されたゴム支承体を示す平面図と側面図である。
【図３】本願発明の、下部構造物と上部構造物間に設置されたゴム支承体を示す平面図と側面図である。
【図４】本願発明の、ベ−スプレ−トとソ−ルプレ−トとゴム支承体に対して取り付けた反力架台、ＰＣ鋼棒、ジャッキ−等を示す縦断面図および正面図である。
【図５】本願発明の、ベ−スプレ−ト上に設置される下沓、ストッパ−プレ−ト、位置出しプレ−ト等を示す平面図である。
【図６】従来技術１を示す縦断面図である。
【図７】従来技術２を示す縦断面図である。
【図８】従来技術３を示す斜視図である。
【符号の説明】
Ａ    ゴム支承体
１    ベ−スプレ−ト
２    下部構造物
３    ソ−ルプレ−ト
４    上部構造物
５    下沓（下部プレ−ト）
６    上沓（上部プレ−ト）
７    ゴム積層体
８    スペ−サプレ−ト
９    ストッパ−プレ−ト
１０    キ−プレ−ト
１１    ガイドプレ−ト
１２    反力架台
１３    ＰＣ鋼棒
１４    ジャッキ−
１５    Ｈ形鋼材からなる垂直材
１６    水平に設けた溝形鋼材
１７    水平に設けた山形鋼材
１８    水平材
１９    プレ−ト
２０    調整材
２１    微調整材
２２    微調整材
２３    雌ねじ孔
２４    位置出しプレ−ト
２５    ボルト孔
６１    滑り支承板
６２    金属製ベ−スプレ−ト
６３    下部構造物
６４    上部構造物
６５    ゴム支承
６６    下部金属板
６７    可動滑り板
６８    反力支承部
６９    ジャッキ−
７１    ベ−スプレ−ト
７２    橋脚
７３    下部金属板
７４    ゴム支承
７５    上部金属板
７６    橋桁
７７    移動用治具
７８    反力伝達棒
７９    伸縮装置
８１    ゴム支承
８２    アンカ−プレ−ト
８３    下方プレ−ト
８４    外枠プレ−ト
８５    内側架台
８６    外側架台
８７    ジャッキ−架台
【図１】
0003615677.tif 000002
【図２】
0003615677.tif 000003
【図３】
0003615677.tif 000004
【図４】
0003615677.tif 000005
【図５】
0003615677.tif 000006
【図６】
0003615677.tif 000007
【図７】
0003615677.tif 000008
【図８】
0003615677.tif 000009